(57)【特許請求の範囲】
【請求項１】
静電潜像担持体に形成される静電潜像をトナーと磁性キャリアを含む現像剤で現像してトナー像を形成することができる２成分現像装置であって、前記現像剤を収容する現像ハウジングと、前記現像ハウジングに設けられた回転駆動可能の現像ローラと、前記現像ローラに内蔵され、前記現像ハウジング内の現像に供する現像剤を前記現像ローラ表面上に吸着する一方、現像に供されずに前記現像ローラ上に吸着されたまま前記現像ハウジング内へ戻ってくる現像剤を前記現像ローラから分離させる低磁力域を提供するための、複数の磁極を有する磁界発生体と、前記磁界発生体の磁力により前記現像ローラ表面に吸着され、前記現像ローラの回転により静電潜像現像域へ搬送される現像剤の量を規制する、前記現像ローラに現像剤量規制間隙をおいて臨む現像剤規制部材とを含む２成分現像装置であり、
前記現像ローラの回転方向において前記現像剤規制部材より上流側域で前記現像ローラと前記現像ハウジングの内面との間に配置された現像剤ガイド部材を含んでおり、前記ガイド部材は、前記現像ローラとの間に、前記現像剤量規制間隙へ現像剤を導くための現像剤案内通路を提供しているとともに、前記現像ハウジング内面との間に、前記現像ローラ回転方向におけるガイド部材上流側端へ向け現像剤を環流させる現像剤環流通路を提供しており、前記現像ローラ回転方向におけるガイド部材下流側端部において前記現像剤案内通路と前記現像剤環流通路とを連通させる連通路を提供しており、前記現像剤規制部材は、前記現像ローラ回転方向において、前記連通路より下流側、且つ、前記現像剤量規制間隙より上流側に、前記現像ローラの表面に沿った壁面を有しており、前記ガイド部材の前記現像ローラ回転方向における上流側端は、前記低磁力域より下流側において該低磁力域に最も近い前記磁界発生体磁極の磁束密度のピーク位置上又はそれより上流側且つ前記低磁力域より下流側に位置していることを特徴とする２成分現像装置。
【請求項２】
前記現像剤環流通路は自身に流れ込んでくる現像剤を重力で前記ガイド部材の上流側端へ向け環流させる通路である請求項１記載の２成分現像装置。
【請求項３】
静電潜像担持体に目的とする画像に応じた静電潜像を形成し、該静電潜像を現像装置で現像してトナー像を形成できる画像形成装置であり、少なくとも一つの現像装置が請求項１又は２記載の２成分現像装置であることを特徴とする画像形成装置。
【発明の詳細な説明】
【技術分野】
【０００１】
本発明は、複写機、プリンタ、ファクシミリ機、或いはこれらのうち２以上を組み合わせた複合機等の画像形成装置に関係しており、特に、画像形成装置に用いる現像装置、さらに特に、画像形成装置において静電潜像担持体に形成される静電潜像をトナーと磁性キャリアを含む現像剤で現像してトナー像を形成することができる２成分現像装置に関係している。
【背景技術】
【０００２】
複写機、プリンタ、ファクシミリ機、或いはこれらのうち２以上を組み合わせた複合機等の画像形成装置において静電潜像担持体に形成される静電潜像をトナーと磁性キャリアを含む現像剤で現像してトナー像を形成することができる２成分現像装置は、現像剤を収容する現像ハウジングと、現像ハウジングに設けられた回転駆動可能の現像ローラと、現像ローラに内蔵され、現像ハウジング内の現像に供する現像剤を現像ローラ表面上に吸着する一方、現像に供されずに現像ローラ上に吸着されたまま現像ハウジング内へ戻ってくる現像剤を現像ローラから分離させる低磁力域を提供するための、複数の磁極を有する磁界発生体と、前記磁界発生体の磁力により前記現像ローラ表面に吸着され、前記現像ローラの回転により静電潜像現像域へ搬送される現像剤の量を規制する、前記現像ローラに現像剤量規制間隙をおいて臨む現像剤規制部材とを含むものが一般的である。
【０００３】
図５はそのような従来現像装置の１例を示している。
図５に示す２成分現像装置４’は、現像剤Ｄを収容する現像ハウジング４０’と、現像ハウジング４０’に設けられた回転駆動可能の現像ローラ４１’と、現像ローラ４１’に内蔵された磁界発生体４２’と、現像ローラ４１’に臨む現像剤規制部材４３’を含んでいる。
【０００４】
現像装置４’はさらに、現像ハウジング４０’内の現像剤Ｄを搬送しつつ現像ローラ４１’へ全体的に分配する、回転駆動される現像剤搬送部材４０１’を含んでいる。
現像剤搬送部材４０１’は図５に示すように現像ローラ４１’に回転中心軸線を並べて配置されるのが一般的である。
【０００５】
もう一本の現像剤搬送部材（図示省略）を配置し、このもう一本の搬送部材と前記搬送部材４０１’とで現像剤を往復循環搬送しつつ現像ローラ４１’へ分配する現像装置も広く知られている。
【０００６】
磁界発生体４２’は、現像ハウジング４０’内の現像に供する現像剤を現像ローラ４１’表面上に吸着する一方、現像に供されずに現像ローラ４１’上に吸着されたまま現像ハウジング４０’内へ戻ってくる現像剤を現像ローラ４１’から分離させる低磁力域ＬＭ’を提供するための、複数の磁極を有する磁界発生体である。
【０００７】
磁界発生体４２’における磁極は、それとは限定されないが図５の例では、現像剤Ｄを現像ローラ４１’へ吸い上げるキャッチ極Ｓ２、規制部材４３’に対応する位置にある規制極Ｎ２、規制部材４３’を通過した現像剤を静電潜像担持体１’上の静電潜像を現像する現像域Ｄａ’へ向け搬送するための搬送極Ｓ１、現像域Ｄａ’に対応する現像極Ｎ１及び前記キャッチ極Ｓ２との間に反撥磁界を形成して前記低磁力域ＬＭ’を形成する現像剤分離極Ｓ３を有している。
【０００８】
磁界発生体４２’の磁力により現像ローラ４１’表面に吸着される現像剤は、現像ローラ４１’の回転により摩擦力の作用下に現像剤規制部材４３’が現像ローラ４１’に臨む現像剤量規制間隙へ搬送され，そこで所定量に規制されて静電潜像現像域Ｄａ’へ搬送され、静電潜像担持体１’上の静電潜像の現像に供される。
現像域Ｄａ’で消費されずに現像ローラ４１’に保持されたまま現像ハウジング４０’へ戻ってくる現像剤は、低磁力域ＬＭ’で現像ローラから剥落する。低磁力域ＬＭ’は現像ローラ４１’表面での磁束密度が例えば５ｍＴ以下である。
【０００９】
なお、いずれにしても、現像ローラの回転による現像剤搬送のための前記摩擦力を発生させる垂直抗力は、主として、現像ローラに内蔵された磁界発生体から発生する磁界による磁力の現像ローラ半径方向成分である。現像剤搬送のために要求されるこの垂直抗力、換言すれば磁界発生体の磁力の現像ローラ半径方向成分を得るため、一般的に用いられている磁界発生体を内蔵した現像ローラの表面の磁束密度分布は数十〜百ｍＴ程度である。
【００１０】
この点に関しては、特開２００８−１５１９７号公報に次の現像装置が記載されている。すなわち、現像ローラによる現像剤の搬送性を向上させるために、現像剤規制部材の上流側域に現像ローラに間隔をおいて臨む現像剤スリップ規制部材を配置し、この部材により現像剤を現像ローラへ押さえ付けて現像剤の現像ローラに対するスリップを抑制し、換言すれば、現像剤を現像ローラへ押さえ付けて現像ローラと現像剤間の、現像剤搬送に要求される摩擦力を確保することが記載されている。
【００１１】
以上説明したような従来の２成分現像装置では、特開２００８−１５１９７号公報に記載されているような現像装置を別にすれば、磁界発生体の磁力により現像ローラに吸着される現像剤の量は、現像剤の嵩の変動や、２成分現像装置に設けられているのが一般的である前記の現像剤搬送部材４０１’のような現像剤搬送部材の位置や現像剤搬送ムラなどにより変動し、この現像ローラ上の現像剤量の変動により現像形成される画像品質が低下することがある。
【００１２】
そこで現像ローラ上に吸着される現像剤量の変動に左右されずに、現像領域へ搬送する現像剤量を均一化するのに有効な手法として、現像領域へ搬送すべき量よりも多くの現像剤を現像ローラへ供給し（現像ローラ上に吸着させ）、現像剤規制部材にて一定以上の圧力下で現像剤量を規制する方法が多くの現像装置で採用されている。
【先行技術文献】
【特許文献】
【００１３】
【特許文献１】特開２００８−１５１９７号公報
【発明の概要】
【発明が解決しようとする課題】
【００１４】
しかしながら、現像剤規制部材による規制部で現像剤に作用する高い圧力は現像剤へのストレスとなり、長期にわたる現像装置の使用では現像剤の劣化を招く。このことから規制部で現像剤に作用する圧力を低く設定することが求められる。
【００１５】
さらに説明すると、現像剤規制部材で現像領域への移動が規制された現像剤は、磁力によって現像ローラ近くに拘束されるため、現像ローラ回転方向における現像剤規制部材の上流側域（図５の装置４’では上流側域Ａｒ）に現像剤の溜まり部が発生し、そこでは現像剤へのストレスが大きくなる。
【００１６】
現像ローラへの現像剤吸着量を減らせば、規制しなければならない現像剤の量も減らすことができるが、現像剤の規制部材での溜まり量は、現像剤規制部付近の構造状態や磁力によって決まるので、規制部で量規制を行う以上、
規制部材通過前の現像ローラ上現像剤量＞規制部材を通過した現像剤量
となることから、結局現像剤の溜まり量を減らすことはできず、現像剤のストレスを減らすことは困難である。
【００１７】
図６に示す現像装置４”は図５に示す現像装置４’において、現像剤規制部材４３’の上流側の空間を狭くＡｒ’に設定したものであるが、このように現像剤規制部材４３’の上流側の空間を狭く設定すれば、規制部材より上流側に現像剤の溜まり部は発生し難くなり、規制前でストレスを受ける現像剤の量は減るが、逆に現像剤が詰め込まれる恰好となり、一つあたりの（個々の）現像剤構成粒子が受けるストレスは高くなってしまう。
【００１８】
特開２００８−１５１９７号公報に記載されたタイプの現像装置であれば、スリップ規制部材と現像剤規制部材とが離隔されており、それにより圧力を解放することで規制部における現像剤ストレスの抑制が可能である。しかしながら、スリップ規制部材の上流側端（現像ローラ回転方向において上流側の端）のところで、そこへ供給される現像剤の量を規制することになるので、その部分で現像剤の溜りが生じ、現像剤ストレスが発生する。このように現像剤ストレスが発生することに変わりはない。
【００１９】
そこで本発明は、静電潜像担持体に形成される静電潜像をトナーと磁性キャリアを含む現像剤で現像してトナー像を形成することができる２成分現像装置であり、前記現像剤を収容する現像ハウジングと、前記現像ハウジングに設けられた回転駆動可能の現像ローラと、前記現像ローラに内蔵され、前記現像ハウジング内の現像に供する現像剤を前記現像ローラ表面上に吸着する一方、現像に供されずに前記現像ローラ上に吸着されたまま前記現像ハウジング内へ戻ってくる現像剤を前記現像ローラから分離させる低磁力域を提供するための、複数の磁極を有する磁界発生体と、前記磁界発生体の磁力により前記現像ローラ表面に吸着され、前記現像ローラの回転により静電潜像現像域へ搬送される現像剤の量を規制する、前記現像ローラに現像剤量規制間隙をおいて臨む現像剤規制部材とを含む２成分現像装置であって、前記現像ローラ回転方向において前記現像剤規制部材に隣り合う上流側域での現像剤溜まり量を、現像剤構成粒子個々のストレスを抑制しつつ低減でき、それにより、前記現像剤規制部材に隣り合う上流側域での現像剤ストレスを低減できる２成分現像装置を提供することを課題とする。
【００２０】
また本発明は、静電潜像担持体に目的とする画像に応じた静電潜像を形成し、該静電潜像を現像装置で現像してトナー像を形成できる画像形成装置であって、少なくとも一つの現像装置において現像剤ストレスを抑制して、それだけ良好な画像を形成することができる画像形成装置を提供することを第２の課題とする。
【課題を解決するための手段】
【００２１】
本発明は前記第１の課題を解決するため、
静電潜像担持体に形成される静電潜像をトナーと磁性キャリアを含む現像剤で現像してトナー像を形成することができる２成分現像装置であって、前記現像剤を収容する現像ハウジングと、前記現像ハウジングに設けられた回転駆動可能の現像ローラと、前記現像ローラに内蔵され、前記現像ハウジング内の現像に供する現像剤を前記現像ローラ表面上に吸着する一方、現像に供されずに前記現像ローラ上に吸着されたまま前記現像ハウジング内へ戻ってくる現像剤を前記現像ローラから分離させる低磁力域を提供するための、複数の磁極を有する磁界発生体と、前記磁界発生体の磁力により前記現像ローラ表面に吸着され、前記現像ローラの回転により静電潜像現像域へ搬送される現像剤の量を規制する、前記現像ローラに現像剤量規制間隙をおいて臨む現像剤規制部材とを含む２成分現像装置であり、
前記現像ローラの回転方向において前記現像剤規制部材より上流側域で前記現像ローラと前記現像ハウジングの内面との間に配置された現像剤ガイド部材を含んでおり、前記ガイド部材は、前記現像ローラとの間に、前記現像剤量規制間隙へ現像剤を導くための現像剤案内通路を提供しているとともに、前記現像ハウジング内面との間に、前記現像ローラ回転方向におけるガイド部材上流側端へ向け現像剤を環流させる現像剤環流通路を提供しており、前記現像ローラ回転方向におけるガイド部材下流側端部において前記現像剤案内通路と前記現像剤環流通路とを連通させる連通路を提供しており、前記現像剤規制部材は、前記現像ローラ回転方向において、前記連通路より下流側、且つ、前記現像剤量規制間隙より上流側に、前記現像ローラの表面に沿った壁面を有しており、前記ガイド部材の前記現像ローラ回転方向における上流側端は、前記低磁力域より下流側において該低磁力域に最も近い前記磁界発生体磁極の磁束密度のピーク位置上又はそれより上流側且つ前記低磁力域より下流側に位置している２成分現像装置を提供する。
【００２２】
また本発明は前記第２の課題を解決するため、
静電潜像担持体に目的とする画像に応じた静電潜像を形成し、該静電潜像を現像装置で現像してトナー像を形成できる画像形成装置であり、少なくとも一つの現像装置が本発明に係る２成分現像装置である画像形成装置を提供する。
【００２３】
本発明に係る２成分現像装置によると、現像ローラへの現像剤供給量が前記現像剤ガイド部材の、前記現像ローラ回転方向において上流側の端によって制限される。ガイド部材の上流側端は、前記低磁力域より下流側において該低磁力域に最も近い前記磁界発生体磁極の磁束密度のピーク位置上に（換言すれば、該磁束密度のピークに対応する位置に）又はそれより上流側且つ前記低磁力域より下流側に位置しているため、該ガイド部材上流側端を含む領域での現像ローラへの現像剤吸着力はあまり強くなく、該領域での現像剤のストレスは小さく抑制される。
【００２４】
さらにガイド部材によって、現像剤規制部材による現像剤量規制部前の現像剤流れ経路として以下の二つの経路が形成される。
経路１：現像ローラとガイド部材との間に形成される空間（現像剤案内通路）。
この経路１では現像ローラ回転方向と同方向に現像剤が搬送される。
経路２：ガイド部材と現像ハウジングとの間に形成される空間（現像剤環流通路）。
この経路２では現像ローラ回転方向とは逆向きに現像剤が移動する。現像剤規          制部材により現像領域への搬送が規制された現像剤が現像剤案内通路と現像剤          環流通路とを連通させる連通路からこの現像剤環流通路へ流入し、この通路を          移動する。
【００２５】
経路１は、ガイド部材によって現像ローラ表面との間隔が制限されているので、この経路１を搬送されてくる現像剤の現像剤規制部での溜まり量はガイド部材が無い場合と比べると少ない。
【００２６】
さらに、現像剤規制部前の現像剤圧力は、経路１（現像剤案内通路）と経路２（現像剤環流通路）とを連通させる連通路により解放され、現像剤規制部前の現像剤は経路２を通じてガイド部材の上流側端（現像剤の供給部）へ向け返されるので、現像剤規制部前の現像剤圧力が高まりすぎることを防げる。
【００２７】
かくして、現像ローラ回転方向において現像剤規制部材に隣り合う上流側域での現像剤溜まり量を、現像剤構成粒子個々のストレスを抑制しつつ低減でき、それにより、現像剤規制部材に隣り合う上流側域での現像剤ストレスを低減できる。
【００２８】
また、本発明に係る画像形成装置では少なくとも一つの現像装置に、本発明に係る２成分現像装置が採用されているので、その現像装置での現像剤ストレスが抑制され、現像剤ストレスが大きいと発生する現像剤の劣化、それによる画像不良発生等が抑制され、それだけ良好な画像を形成でき、画像形成装置全体としてもそれだけ良好な画像を形成することができる。
【００２９】
本発明に係る２成分現像装置においては、前記現像剤環流通路は、例えば自身に流れ込んでくる現像剤を重力で前記ガイド部材の上流側端へ向け環流させる通路とすることができる。しかし、現像剤環流通路は自身に流れ込んでくる現像剤をガイド部材上流側端へ向け送ることができる例えば回転パドルのような現像剤送り部材を備えていてもよい。
【発明の効果】
【００３０】
以上説明したように本発明によると、静電潜像担持体に形成される静電潜像をトナーと磁性キャリアを含む現像剤で現像してトナー像を形成することができる２成分現像装置であり、前記現像剤を収容する現像ハウジングと、前記現像ハウジングに設けられた回転駆動可能の現像ローラと、前記現像ローラに内蔵され、前記現像ハウジング内の現像に供する現像剤を前記現像ローラ表面上に吸着する一方、現像に供されずに前記現像ローラ上に吸着されたまま前記現像ハウジング内へ戻ってくる現像剤を前記現像ローラから分離させる低磁力域を提供するための、複数の磁極を有する磁界発生体と、前記磁界発生体の磁力により前記現像ローラ表面に吸着され、前記現像ローラの回転により静電潜像現像域へ搬送される現像剤の量を規制する、前記現像ローラに現像剤量規制間隙をおいて臨む現像剤規制部材とを含む２成分現像装置であって、前記現像ローラ回転方向において前記現像剤規制部材に隣り合う上流側域での現像剤溜まり量を、現像剤構成粒子個々のストレスを抑制しつつ低減でき、それにより、前記現像剤規制部材に隣り合う上流側域での現像剤ストレスを低減できる２成分現像装置を提供することができる。
【００３１】
また本発明によると、静電潜像担持体に目的とする画像に応じた静電潜像を形成し、該静電潜像を現像装置で現像してトナー像を形成できる画像形成装置であって、少なくとも一つの現像装置において現像剤ストレスを抑制して、それだけ良好な画像を形成することができる画像形成装置を提供することができる。
【図面の簡単な説明】
【００３２】
【図１】本発明に係る画像形成装置例の構成の概略を示す図である。
【図２】図１の画像形成装置に採用されている本発明に係る２成分現像装置例の概略断面図である。
【図３】実施例現像装置及び従来例現像装置のそれぞれにおける現像ローラ回転トルクを調べた結果を両者対比させて示す図である。
【図４】現像剤ガイド部材と現像ローラ間の間隔（クリアランス）のうち、ガイド部材上流側端の間隔（クリアランス）と下流側端の間隔（クリアランス）とが現像ローラ回転トルクに与える影響を調べた結果を示す図である。
【図５】２成分現像装置の従来例を示す図である。
【図６】図５の現像装置の改良例を示す図である。
【発明を実施するための形態】
【００３３】
以下、図面を参照して本発明に係る画像形成装置の例及び本発明に係る現像装置の例について説明する。
【００３４】
図１は本発明に係る画像形成装置例の構成の概略を示している。
図１に示す画像形成装置１０はモノクロ画像を記録紙等の記録シートＳ上に形成する電子写真方式の画像形成装置である。
【００３５】
画像形成装置１０は、ドラム型感光体１を含んでおり、感光体１の周囲に帯電器２、画像露光装置３、現像装置４、転写ローラ５及びクリーニング装置６がこの順序で配置されている。画像形成装置１０はこれらのほか、図示省略の記録シート供給部を備えているとともに、該記録シート供給部から供給されてくるシートＳの搬送方向において転写ローラ５より下流側に定着装置７及びシート排出トレイ（図示省略）等を備えている。
【００３６】
感光体１は負帯電性の感光体であり、帯電器２によりその表面を一様に所定負電位に帯電させることができる。                                                            画像露光装置３は帯電器２による感光体帯電域に画像露光を施すことで形成しようとする画像に応じた静電潜像を形成するものであり、図示省略の画像読み取り装置、コンピュータ、外部ファクシミリ機等から提供される画像情報に応じて画像露光を施すものである。
【００３７】
現像装置４はトナーと磁性キャリアを含む２成分現像剤を用いて感光体１上の静電潜像を現像する２成分現像装置であり、負に帯電したトナーで反転現像により静電潜像を可視トナー像とするものである。現像装置４については後ほどさらに説明する。
【００３８】
画像形成装置１０によると次のようにしてシートＳにトナー画像を形成することができる。
図示省略の感光体駆動モータにより図中時計方向に回転駆動される感光体１の表面を、図示省略の帯電用電源から帯電用電圧が印加された帯電器２により一様に所定電位に帯電させる。その帯電域に画像露光装置３から画像露光して、形成しようとする画像に応じた静電潜像を形成し、この静電潜像を２成分現像装置４で現像してトナー像を形成する。
【００３９】
一方、図示省略の記録シート供給部から記録シートＳをタイミングローラＴＲへ供給し、タイミングローラＴＲにて記録シートＳを、その画像形成対象域にトナー像が転写されるタイミングで感光体１と転写ローラ５との間の転写部に突入、通過させる。このとき、転写ローラ５には図示省略の転写電源から転写電圧を印加し、感光体１上のトナー像をシートＳへ転写する。
【００４０】
このようにしてトナー像が転写された記録シートＳは定着装置７を通過することで加熱加圧下にトナー像が定着され、シート排出トレイへ排出される。
トナー像転写後の感光体１表面はクリーニング装置６により清掃され、次の画像形成に備えられる。                                                                    
【００４１】
２成分現像装置４についてさらに説明する。
図２は図１の画像形成装置に採用されている２成分現像装置４の概略断面構造を示している。
【００４２】
現像装置４はトナーと磁性キャリアを含む所謂２成分現像剤Ｄを収容する現像ハウジング４０と、現像ハウジング４０に回転可能に取り付けられた現像ローラ４１と、現像ローラ４１に内蔵された磁界発生体４２と、現像ローラ４１に現像剤量規制間隙ｇ１をあけて臨設された現像剤規制部材４３とを含んでいる。
【００４３】
現像ローラ４１はスリーブの形態の非磁性部材であり、現像スリーブとも称されており、表面はブラスト処理等により現像剤Ｄを搬送するのに適度の粗さを有している。それとは限定されないが、本例では外径１６ｍｍである。
現像剤規制部材４３は磁性材料から形成されている。
【００４４】
現像ローラ４１は、現像ハウジング４０の感光体１に向かって開かれた開口部から感光体１に現像間隙Ｄａをおいて臨み、図示省略の現像モータにより図２において時計方向ＣＷまわりに回転駆動可能である。現像ローラ４１は画像形成する記録シートＳの搬送方向に直角な方向の幅に対応できるように、回転中心線ＣＬの方向に長く形成されている。
【００４５】
現像装置４はさらに、現像剤を攪拌しつつ（それによりトナーを摩擦帯電させつつ）現像ローラ４１の長手方向（回転中心線ＣＬの方向）に沿って搬送し、現像ローラ４１の現像剤を保持すべき各部に現像剤を分配するための一対の現像剤搬送部材４４１、４４２を含んでいる。
【００４６】
現像剤搬送部材４４１、４４２は現像ローラ４１と並行に、現像ハウジング４０内に回転可能に配置されている。現像剤搬送部材４４１、４４２は本例ではスクリューコンベアであり、図示省略の前記現像モータにより伝動機構を介して回転駆動できる。
【００４７】
図２において、現像剤Ｄは一方の搬送部材４４１により手前側から奥側へ搬送され、両搬送部材間に設けられた仕切り壁４００の奥側部位に形成された開口（図示省略）から他方の搬送部材４４２へ移動し、搬送部材４４２により奥側から手前側へ搬送され、仕切り壁４００の手前側部位に形成された開口（図示省略）から搬送部材４４１へ移動するというように循環搬送される。
【００４８】
現像ローラ４１に臨む搬送部材４４１は現像剤Ｄを現像ローラ４１の長手方向に沿って搬送しつつ現像ローラ各部へ現像剤を分配する。補給トナーは、例えば搬送部材４４２の奥側部位に供給することができる。
【００４９】
磁界発生体４２は、現像ハウジング４内の現像に供する現像剤Ｄを現像ローラ４１表面に吸着する一方、現像に供されずに現像ローラ４１上に吸着されたまま現像ハウジング４内へ戻ってくる現像剤Ｄを現像ローラ４１から分離させる低磁力域ＬＭを提供するものである。
【００５０】
さらに説明すると、磁界発生体４２は、それとは限らないが、本例では永久磁石を組み合わせ配列してロール状に形成したもので、周面に磁極であるＳ極及びＮ極を有するものである。
【００５１】
磁界発生体４２は磁極として、現像剤Ｄを現像ローラ４１へ吸い上げるキャッチ極Ｓ２、規制部材４３に対応する位置にある規制極Ｎ２、規制部材４３による現像剤量規制間隙ｇ１を通過した現像剤を感光体１上の静電潜像を現像する現像域Ｄａへ向け搬送するための搬送極Ｓ１、現像域Ｄａに対応する現像極Ｎ１及び前記キャッチ極Ｓ２との間に反撥磁界を形成して前記低磁力域ＬＭを形成する現像剤分離極Ｓ３を有している。
なお、磁界発生体４２における磁極配置はこれに限定されるものではない。静電潜像現像に支障のない範囲で他の磁極配置の採用も可能である。
【００５２】
現像剤Ｄを構成するトナーは、それとは限定されないが本例では、重合法により作られた平均粒径６μｍの、負帯電させて用いるトナーであり、磁性キャリアは平均粒径３３μｍのキャリアである。
【００５３】
現像装置４は、さらに、現像ローラ４１の回転方向において現像剤規制部材４３より上流側域に配置された現像剤のガイド部材４５を含んでいる。ガイド部材４５は非磁性材料で形成されており、現像ローラ４１と現像ハウジング４０の内面４０１との間に配置されている。
【００５４】
ガイド部材４５は現像ローラ４１との間に間隙ｇ２を開けて配置され、現像ローラ４１との間に、現像剤量規制間隙ｇ１へ現像剤Ｄを導く現像剤案内通路４６を提供している。
【００５５】
ガイド部材４５は、また、現像ハウジング内面４０１との間に間隙ｇ６をおいて配置されており、現像ハウジング内面４０１との間に、現像ローラ回転方向におけるガイド部材上流側端４５１へ向け現像剤Ｄを環流させる現像剤環流通路４７を提供している。
【００５６】
ガイド部材４５の現像ローラ回転方向において下流側端部、さらに言えば、現像剤規制部材４３に近い部位（本例では規制部材４３から上流側へ距離Ｐ戻った位置）には、現像剤案内通路４６から現像剤環流通路４７へ連通する、間隙寸法ｇ５の連通路４８が形成されている。現像剤規制部材４３は、現像ローラ回転方向において、連通路４８より下流側、且つ、現像剤量規制間隙ｇ１より上流側に、現像ローラ４１の表面に沿った壁面を有しており、この壁面と現像ローラ４１の間隙に現像剤が溜まる。
【００５７】
ガイド部材４５の現像ローラ回転方向における上流側端４５１は、前記低磁力域ＬＭより下流側で該低磁力域ＬＭに最も近い、ここではキャッチ極Ｓ２の磁束密度のピーク位置上に（換言すれば磁極Ｓ２の磁束密度のピークに対応する位置に）位置している。
ガイド部材４５の現像ローラ４１に向けられた面は例えばフッソ系樹脂のコーティング等により潤滑性良好な面としておくことが望ましい。
なお、本例では、キャッチ極Ｓ２の現像ローラ半径方向磁束密度Ｂｒは現像ローラ４１表面上で４５ｍＴである。
【００５８】
それとは限定されないが、ここでは、
現像剤量規制間隙ｇ１＝０．５ｍｍ、
ガイド部材４５と現像ローラ４１との間隙ｇ２＝１．５ｍｍ、
ガイド部材４５１とハウジング内面４０１との間隙ｇ６＝２．０ｍｍ、
連通路４８が形成されている、規制部材４３から上流側へ戻った部位までの距離Ｐ＝３ｍｍ、
連通路４８の間隙ｇ５＝１．５ｍｍである。
【００５９】
現像装置４によると、磁界発生体４２のキャッチ極Ｓ２の磁力により現像ローラ４１表面に吸着される現像剤は現像ローラ４１の回転により摩擦力の作用下に現像剤量規制間隙ｇ１へ向け搬送され、そこで所定量に規制されて現像剤の穂の態様で現像域Ｄａへ搬送され、感光体１上の静電潜像の現像に供される。
現像域Ｄａで消費されずに現像ローラ４１に保持されたまま現像ハウジング４０へ戻ってくる現像剤は、低磁力域ＬＭで現像ローラ４１から剥落する。
【００６０】
ここで注目すべきは、現像装置４によると、現像ローラ４１への現像剤供給量がガイド部材４５の上流側端４５１によって過剰にならないように制限される。また、ガイド部材４５の上流側端４５１は、低磁力域ＬＭより下流側において該低磁力域に最も近い磁極Ｓ２の磁束密度のピークに対応して位置しているため、上流側端４５１を含む領域での現像ローラ４１への現像剤吸着力はそれほど強くなく、該領域での現像剤のストレスは小さく抑制される。
【００６１】
さらにガイド部材４５によって、現像剤規制部材４３による現像剤量規制部前の現像剤流れ経路として以下の二つの経路が形成される。
経路１：現像ローラ４１とガイド部材４５との間に形成される空間（現像剤案内通路４          ６）。この経路１では現像ローラ回転方向と同方向に現像剤Ｄが搬送される。  経路２：ガイド部材４５と現像ハウジング４０との間に形成される空間（現像剤環流通          路４７）。この経路２では現像ローラ回転方向とは逆向きに現像剤Ｄが移動す          る。現像剤規制部材４３により現像領域Ｄａへの搬送が規制された現像剤Ｄが          現像剤案内通路４６と現像剤環流通路４７とを連通させる連通路４８から現像          剤環流通路４７へ流入し、この通路をガイド部材４５の上流側端４５１へ向け          重力で移動する。
【００６２】
経路１は、ガイド部材４５によって現像ローラ表面との間隔が制限されているので、この経路１を搬送されてくる現像剤の現像剤規制部での溜まり量はガイド部材４５が無い場合と比べると少ない。
【００６３】
さらに、現像剤規制部前の現像剤圧力は、経路１（現像剤案内通路４６）と経路２（現像剤環流通路４７）とを連通させる連通路４８により解放され、現像剤規制部前の現像剤は経路２を通じてガイド部材４５の上流側端４５１（現像剤の供給部）へ向け返されるので、現像剤規制部前の現像剤圧力が高まりすぎることを防げる。
【００６４】
かくして、現像ローラ回転方向において現像剤規制部材４３に隣り合う上流側域、特に現像剤規制部材４３が提供している現像ローラ４１の表面に沿った壁面と現像ローラ４１の間隙領域での現像剤溜まり量を、現像剤構成粒子個々のストレスを抑制しつつ低減でき、それにより、現像剤規制部材４３に隣り合う上流側域での現像剤ストレスを低減できる。
【００６５】
また、画像形成装置１０の立場からすると、かかる２成分現像装置４が採用されているので、現像剤ストレスが抑制され、現像剤ストレスが大きいと発生する現像剤Ｄの劣化、それによる画像不良発生等が抑制され、それだけ良好な画像を形成できる。
【００６６】
またこの現像装置４によると、現像剤規制部材４３の上流側域における現像剤溜まり量を少なく抑制できるので、規制部材４３により進行を妨げられた現像剤の現像ローラ４１による摺擦（換言すれば、現像ローラ４１に加わる摺擦反力）を抑制することもでき、それだけ現像ローラ４１の回転トルクを低く抑制することができる利点もある。  
【００６７】
以上説明した例では、ガイド部材上流側端４５１の位置を磁極Ｓ２の磁束密度のピークに対応する位置に設定したが、ガイド部材上流側端４５１はそれより上流側に、しかし、低磁力域ＬＭより下流側に位置していてもよい。いずれにしても、現像剤供給が確保できる範囲内の位置とすることができる。
【００６８】
また、前記の例ではガイド部材４５と現像ローラ４１との間隙ｇ２を１．５ｍｍに設定しているが、この間隙ｇ２は通路４６の全体にわたって均一である必要はない。例えば、現像剤の詰め込みを抑制するために、上流側部分の間隙寸法を下流側部分の間隙寸法より狭くしてもよい。
【００６９】
次に、図２に示す現像装置４と、図５に示す従来現像装置４’とについて行った現像ローラ回転トルク調査について説明する。
現像装置４と４’とにおいて、現像ローラ、磁界発生体、現像剤規制部材等は同じものを採用した。現像ローラ周速はいずれも３０２ｍｍ／秒とした。
【００７０】
現像剤規制部材の上流側域の現像剤溜まり量が多くなると、現像ローラによる現像剤の摺擦力が増加し、現像ローラの回転トルクが増加してくるところ、図４に示すように、現像装置４では従来現像装置４’より現像ローラ回転トルクが低減され（２割り程度低減され）、現像剤規制部材上流側域での現像剤溜まり量が少なく抑制されていること（ひいてはそれだけ現像剤ストレスが抑制されていること）が分かる。
【００７１】
また、ガイド部材４５の下流側端部と現像ローラとの間隙（クリアランス）を１．５ｍｍ、２．０ｍｍ、３．０ｍｍと変化させるとともに、その各間隙についてガイド部材上流側端部と現像ローラとの間隙を変化させたときの現像ローラ回転トルク変動について測定したところ、図４に示す結果が得られた。
【００７２】
図４から分かるように、ガイド部材４５と現像ローラ４１との間隙ｇ２は概ね２ｍｍより小さく設定すればよいことが分かる。
なお、ガイド部材４５は現像ハウジング４０と一体的に構成して現像装置部品点数を減らしてもよい。
【００７３】
以上説明した画像形成装置はモノクロ画像を形成するものであったが、本発明はカラー画像を形成する画像形成装置にも適用でき、そのとき、カラー画像形成のための、それぞれが担当色トナーを収容している複数の現像装置のうち１又は２以上について本発明に係る２成分現像装置を採用してもよい。
【産業上の利用可能性】
【００７４】
本発明は、現像ローラ回転方向において現像剤規制部材に隣り合う上流側域での現像剤ストレスを低減できる２成分現像装置を提供すること及びこの２成分現像装置を少なくとも一つ備えることでそれだけ良好な画像形成を行える画像形成装置を提供することに利用できる。
【符号の説明】
【００７５】
１０  画像形成装置
Ｓ  記録シート
１  感光体
２  帯電器
３  画像露光装置
５  転写ローラ
６  クリーニング装置
７  定着装置
ＴＲ  タイミングローラ
４  ２成分現像装置４
４０  現像ハウジング
４０１  現像ハウジング内面
４１  現像ローラ
４２  磁界発生体
４３  現像剤規制部材
４４１、４４２  現像剤搬送部材
４００  搬送部材間の仕切り壁
Ｄ  現像剤
Ｓ２  キャッチ極
Ｎ２  規制極
Ｓ１  搬送極
Ｎ１  現像極
Ｓ３  分離極
ＬＭ  低磁力域
Ｄａ  現像域
４５  ガイド部材
４５１  ガイド部材の上流側端
４５２  ガイド部材の下流側の端部
４６  現像剤案内通路
４７  現像剤環流通路
４８  連通路
ｇ１  現像剤量規制間隙
ｇ２  ガイド部材と現像ローラとの間の間隙
ｇ５  連通路の間隙
ｇ６  ガイド部材と現像ハウジング内面との間の間隙
【図１】
0005299365.tif 000002
【図２】
0005299365.tif 000003
【図３】
0005299365.tif 000004
【図４】
0005299365.tif 000005
【図５】
0005299365.tif 000006
【図６】
0005299365.tif 000007